(57)【特許請求の範囲】
【請求項１】
方形状の基部と、該基部に連設される第１の把持部及び第２の把持部とを一体的に形成したクロスボルト固定金具であって、
前記第１の把持部は、前記基部の両側から略直角に折曲させて連結される方形状の各連結片と、該各連結片に対して内側に折曲させて連結される方形状の各係止片と、各係止片に対して外側に折曲されて連結され前記係止片より幅が狭い方形状をなす各折曲片と、前記各係止片の隅部の三角部を内側に折曲した各係止部とを具備し、
前記第２の把持部は、前記第１の把持部に対して交差する方向の前記基部の両側から略直角に折曲させて連結される方形状の各連結片と、該各連結片に対して内側に折曲させて連結される方形状の各係止片と、各係止片に対して外側に折曲されて連結され前記係止片より幅が狭い方形状をなす各折曲片と、前記各係止片の隅部の三角部を内側に折曲した各係止部とを具備して成る
ことを特徴とするクロスボルト固定金具。
【請求項２】
方形状の基部と、該基部に連設される第１の把持部及び第２の把持部とを一体的に形成したクロスボルト固定金具であって、
前記第１の把持部は、前記基部の両側から略直角に折曲させて連結される方形状の各連結片と、該各連結片に対して内側に折曲させて連結される方形状の各係止片と、各係止片に対して外側に折曲されて連結され前記係止片より幅が狭い方形状をなす各折曲片と、前記各係止片の折曲片側隅部の三角部を内側に折曲した各係止部とを具備し、
前記第２の把持部は、前記第１の把持部に対して交差する方向の前記基部の一方側から略直角に折曲させて連結される方形状の第１連結片と、該第１連結片に対して略直角に折曲させて連結される方形状の第２連結片と、第２連結片に対して内側に折曲させて連結される方形状の係止片と、前記係止片に対して外側に折曲されて連結され前記係止片より幅が狭い方形状をなす折曲片と、前記係止片の折曲片側隅部の三角部を内側に折曲した各係止部とを具備して成る
ことを特徴とするクロスボルト固定金具。
【請求項３】
前記基部において第２の把持部の係止片及び折曲片に対向する位置にコ字状切欠線を設け、前記コ字状切欠線で囲まれた部分を折曲し前記係止片及び折曲片側に突出する支持片を形成した請求項２に記載のクロスボルト固定金具。
【発明の詳細な説明】
【０００１】
【発明の属する技術分野】
本発明は、建築物における基礎と土台との緊結に使用されるアンカーボルトを固定するための固定金具に関し、特に、コンクリートを流し込む前に基礎に配設されている筋体と、この筋体に対して直交（クロス）して配置されるアンカーボルトとを固定するためのクロスボルト固定金具に関する。
【０００２】
【従来の技術】
建築物における基礎は、図７に示すように、基礎５０となる空間に縦横に格子状となる筋体５１を配設し、コンクリートを流し込むことで構成されている。筋体５１の適宜部分には、アンカーボルト５２の先端が基礎５０外に配置するようにその反対側において筋体５１に固定されている。
【０００３】
アンカーボルト５２と筋体５１との固定は、図７に示すように、鉛直方向に配置されるアンカーボルト５２と水平方向に配置される筋体５１とが交差する部位について、金属線状体５３を何回か巻回して両者が連結するように構成されている。
【０００４】
【発明が解決しようとする課題】
上記のようなアンカーボルト５２と筋体５１の固定構造であると、人手によりアンカーボルトと筋体との交差部分に金属線状体５３を巻回して両者を連結するので、素早く作業をするためには相当な熟練が必要になるという問題点があった。
また、近年においては熟練の作業者の数は減少しているので、現場における作
業者の確保が困難であるとという問題も生じる。
【０００５】
本発明は、上記実情に鑑みてなされたもので、アンカーボルトと筋体との固定を容易に行うことができるクロスボルト固定金具を提供することを目的としている。
【０００６】
【課題を解決するための手段】
上記目的を達成するため請求項１のクロスボルト固定金具は、方形状の基部と、該基部に連設される第１の把持部及び第２の把持部とを一体的に形成したクロスボルト固定金具であって、次の構成を含むことを特徴としている。
前記第１の把持部は、前記基部の両側から略直角に折曲させて連結される方形状の各連結片と、該各連結片に対して内側に折曲させて連結される方形状の各係止片と、各係止片に対して外側に折曲されて連結され前記係止片より幅が狭い方形状をなす各折曲片と、前記各係止片の隅部の三角部を内側に折曲した各係止部とを具備する。
前記第２の把持部は、前記第１の把持部に対して交差する方向の前記基部の両側から略直角に折曲させて連結される方形状の各連結片と、該各連結片に対して内側に折曲させて連結される方形状の各係止片と、各係止片に対して外側に折曲されて連結され前記係止片より幅が狭い方形状をなす各折曲片と、前記各係止片の隅部の三角部を内側に折曲した各係止部とを具備する。
【０００７】
また、請求項２のクロスボルト固定金具は、方形状の基部と、該基部に連設される第１の把持部及び第２の把持部とを一体的に形成したクロスボルト固定金具であって、次の構成を含むことを特徴としている。
前記第１の把持部は、前記基部の両側から略直角に折曲させて連結される方形状の各連結片と、該各連結片に対して内側に折曲させて連結される方形状の各係止片と、各係止片に対して外側に折曲されて連結され前記係止片より幅が狭い方形状をなす各折曲片と、前記各係止片の折曲片側隅部の三角部を内側に折曲した各係止部とを具備する。
前記第２の把持部は、前記第１の把持部に対して交差する方向の前記基部の一方側から略直角に折曲させて連結される方形状の第１連結片と、該第１連結片に対して略直角に折曲させて連結される方形状の第２連結片と、第２連結片に対して内側に折曲させて連結される方形状の係止片と、前記係止片に対して外側に折曲されて連結され前記係止片より幅が狭い方形状をなす折曲片と、前記係止片の折曲片側隅部の三角部を内側に折曲した各係止部とを具備する。
して成る
【０００８】
請求項３は、請求項２に記載のクロスボルト固定金具において、前記基部における第２の把持部の係止片及び折曲片に対向する位置にコ字状切欠線を設け、前記コ字状切欠線で囲まれた部分を折曲し前記係止片及び折曲片側に突出する支持片を形成したことを特徴としている。
【０００９】
請求項１の発明によれば、アンカーボルトと筋体とが交差する部位において、基部の両側に連結される各第１連結片，各第２連結片，各係止片を具備する第１の把持部によりアンカーボルトの円柱部を左右方向から把持し、第１の把持部と同様の構成の第２の把持部により円柱状の筋体を上下方向から把持する一方、第１及び第２の把持部の各係止片における隅部に折曲形成された各係止部がアンカーボルト及び筋体表面に接触し、係止状態を維持する。
【００１０】
請求項２の発明によれば、アンカーボルトと筋体とが交差する部位において、基部の両側に連結される各片から成る第１の把持部によりアンカーボルトの円柱部を左右方向から把持し、基部の一方側に連結される第１連結片，第２連結片，係止片を具備する第２の把持部により円柱状の筋体一方向から把持する一方、第１及び第２の把持部の各係止片における隅部に折曲形成された各係止部がアンカーボルト及び筋体表面に接触し、係止状態を維持する。
【００１１】
請求項３の発明によれば、第２の把持部における係止片及び折曲片に対向する基部位置に支持片を形成したので、支持片のバネ作用により筋体が支持され第２の把持部により円柱状の筋体を一方向側から把持する場合に、係止状態を確実に維持することが可能となる。
【００１２】
【発明の実施の形態】
以下、本発明のクロスボルト固定金具の一例について図１ないし図３を参照しながら説明する。
本発明のクロスボルト固定金具は、図１に示すような金属片で構成された一体形状の外観を有している。すなわち、クロスボルト固定金具は、図２（ａ）に示すような十字形状の金属板１をプレス加工により折曲させて一体的に形成するクロスボルト固定金具であり、方形状の基部１０に対して第１の把持部１１と第２の把持部２１とが交差するように配置形成されている。
【００１３】
第１の把持部１１は、基部１０の両側に連設される一対の連結片１２，係止片１３，折曲片１４から構成されている。各連結片１２は、方形状をなし前記基部１０の両側から略直角に折曲させて形成されている。各連結片１２には、該連結片１２に対して内側に折曲させた方形状の係止片１３が連結されている。そして各係止片１３には、該係止片１３に対して外側に折曲され前記係止片より幅が狭い方形状をなす折曲片１４が連結されている。
また、前記各係止片１３には、その隅部の三角部を内側に折曲して三角爪状となる係止部１５を形成している。
【００１４】
第２の把持部２１は、第１の把持部と同様に基部１０の両側に連設される一対の連結片２２，係止片２３，折曲片２４から構成されるものであるが、各片が第１の把持部１１と反対側に位置するように形成されている。
すなわち、第２の把持部２１は、前記第１の把持部１１に対して交差する方向の前記基部１０の両側から略直角に折曲させて連結される方形状の各連結片２２と、該各連結片２２に対して内側に折曲させて連結される方形状の各係止片２３と、各係止片２３に対して外側に折曲されて連結され前記係止片より幅が狭い方形状をなす各折曲片２３と、前記各係止片２４の隅部の三角部を内側に折曲した各係止部２５とを具備して成る。
【００１５】
上記構成により、第１の把持部及び第２の把持部の連結片及び係止片は、基部１０と一体的に形成することで基部１０に対してバネ作用を有するようになる。
【００１６】
また、一方の連結片２２の両側には、第２の把持部２１側であることが凸片２６が形成されている。この凸片は、例えば第１の把持部１１と第２の把持部２１におけるバネ力を異なるものとした場合に、どちらが第２の把持部側であるかを容易に確認できるようにするためである。
【００１７】
次に上記構造のクロスボルト固定金具を使用してアンカーボルトと筋体とを固定する手順について図３及び図７を参照しながら説明する。
図７に示したアンカーボルト５２と筋体５１とが交差する部位Ａにおいて、水平方向に配置される筋体５１の円柱部を第２の把持部２１に挿入する。この時、第２の把持部２１を筋体５１に押し当てると、筋体５１の円柱部が折曲片２４を押し広げるように作用して、筋体５１の円柱部を上下方向から各係止片２３で挟持する。この状態において、係止片２３では筋体５１を挟む方向にバネ力が作用しているので、三角爪状の各係止部２５が筋体表面にくい込むように接触して係止状態が確実に維持される（図３（ａ））。
【００１８】
次に、アンカーボルト５２の円柱部を第１の把持部１１に挿入する。この時、第１の把持部１１にアンカーボルト５２に押し当てると、アンカーボルト５２の円柱部が折曲片１４を押し広げるように作用して、アンカーボルト５２の円柱部を左右方向から各係止片１３で挟持する。その状態では、係止片１３はアンカーボルト５２を挟む方向にバネ力が作用しているので、三角爪状の各係止部１５がアンカーボルト表面にくい込むように接触して係止状態が確実に維持され、筋体５１に対してアンカーボルト５２を交差させて鉛直方向に配置固定させることができる（図３（ｂ））。
【００１９】
第１の把持部１１及び第２の把持部２２の各連結片及び各係止片は、基部１０と一体的に形成することで基部１０に対してバネ作用を有するようになっているので、第１の把持部１１及び第２の把持部２１で把持される部材の径に大小があっても、これらを把持して係止状態を維持することができる。したがって、上述の構造のクロスボルト固定金具は、筋体５１同士の交差部分についても使用することができる。
【００２０】
図４及び図５は本発明のクロスボルト固定金具の他の例を示すもので、図１及び図２のクロスボルト固定金具と同様の構成をとる部分については同一符号を付している。
このクロスボルト固定金具は、図５（ａ）に示すようなＴ字形状の金属板２をプレス加工により折曲させて一体的に形成するクロスボルト固定金具であり、方形状の基部１０に対して第１の把持部１１と第２の把持部３１とが交差するように配置形成されて結果、図４に示すような外観を有している。
すなわち、このクロスボルト固定金具は、方形状の基部１０と、該基部１０に連設される第１の把持部１１及び第２の把持部３１とを一体的に形成したクロスボルト固定金具である点では図１の固定金具と同じであり、特に第１の把持部１１については全く同じ構成を有している。
【００２１】
これに対して第２の把持部３１は、基部１０の一方側にのみ形成されている。すなわち、第２の把持部３１は、前記第１の把持部１１に対して交差する方向の前記基部１０の一方側から略直角に折曲させて連結される方形状の第１連結片３２と、該第１連結片３２に対して略直角に折曲させて連結される方形状の第２連結片３３と、第２連結片３３に対して内側に折曲させて連結される方形状の各係止片３４と、各係止片３４に対して外側に折曲されて連結され前記係止片より幅が狭い方形状をなす各折曲片３５と、前記各係止片の折曲片側隅部の三角部を内側に折曲した各係止部３６とを具備して成る。
【００２２】
また、基部１０において、第２の把持部３１の係止片３４及び折曲片３５に対向する位置にコ字状孔３７を設けてコ字状切欠線３８を有するようにし、前記コ字状切欠線３８で囲まれた部分を係止片３４及び折曲片３５側に折曲することにより、係止片及び折曲片側に突出する支持片３９を形成している。
【００２３】
この支持片３９は、第２の把持部３１が一方側にしか連結片３２等が形成されない場合であっても、第２の把持部３１における係止片３３及び折曲片３４に対向する基部位置に支持片３９を形成することにより、支持片３９のバネ作用により筋体が確実に支持されるようにするものである。その結果、第２の把持部３１により円柱状の筋体を一方向側から把持する場合において、係止状態を確実に維持することが可能となる。
【００２４】
このクロスボルト固定金具は、アンカーボルトに対して２本の筋体が配置されるような場合に使用される。
すなわち、図１及び図２のクロスボルト固定金具では、例えば図７において筋体５１とアンカーボルト５２とが交差する部位Ｂのように、複数本の筋体５１が密着して配置されている場合、図１のような構造の固定金具では第２の把持部２１で筋体５１を上下方向で挟むように取り付けるのが困難となる。既に密着している筋体５１同士の間に第１の把持部１１の一方の折曲片２４を挿入するのが困難であることに起因する。
【００２５】
図４及び図５のクロスボルト固定金具によれば、筋体５１側を把持する第２の把持部３１は上側にのみ連結片３２等が形成されているので、筋体５１の上から載せるように固定金具を配置する（図６（ａ））。すなわち、水平方向に配置される筋体５１の円柱部に対して被せるように第２の把持部３１に挿入する。この時、第２の把持部３１を筋体５１に押し当てると、筋体５１の円柱部が折曲片３５を押し広げるように作用し、また、支持片３６が押圧されることでバネ作用を発揮するので、筋体５１の円柱部を水平方向から係止片３４と支持片３６で挟持する。この状態において、係止片３４では筋体５１を挟む方向にバネ力が作用しているので、三角爪状の各係止部３６が筋体表面にくい込むように接触して係止状態が確実に維持される（図６（ａ））。
したがって、上記構造のクロスボルト固定金具によれば、筋体５１間に片を位置する必要がなく、筋体５１に容易に装着できる利点がある。
【００２６】
アンカーボルト５２の把持については、図３（ｂ）と同様の手順で行われる。すなわち、第１の把持部１１にアンカーボルト５２に押し当てると、アンカーボルト５２の円柱部が折曲片１４を押し広げるように作用して、アンカーボルト５２の円柱部を左右方向から各係止片１３で挟持する。その状態では、係止片１３はアンカーボルト５２を挟む方向にバネ力が作用しているので、三角爪状の各係止部１５がアンカーボルト表面にくい込むように接触して係止状態が確実に維持され、複数本の筋体５１に対してアンカーボルト５２を交差させて鉛直方向に配置固定させることができる（図６（ｂ））。
【００２７】
【発明の効果】
本発明のクロスボルト固定金具によれば、筋体とアンカーボルトとの交差部分での両者の固定を、第１及び第２の把持部への筋体及びアンカーボルトの嵌合というワンタッチの動作で行うことができ、作業効率の向上を図ることができる。
【図面の簡単な説明】
【図１】本発明に係るクロスボルト固定金具の一例を示す斜視説明図である。
【図２】本発明に係るクロスボルト固定金具の一例を示すものであり、（ａ）は展開説明図、（ｂ）は正面説明図、（ｃ）は側面説明図、（ｄ）はクロスボルト固定金具の平面説明図である。
【図３】図１及び図２のクロスボルト固定金具の装着状態を示すもので、（ａ）は筋体を把持した状態を示す側面説明図、（ｂ）はアンカーボルトを把持した状態を示す平面説明図である。
【図４】本発明に係るクロスボルト固定金具の他の例を示す斜視説明図である。
【図５】本発明に係るクロスボルト固定金具の他の例を示すものであり、（ａ）は展開説明図、（ｂ）は正面説明図、（ｃ）は側面説明図、（ｄ）は裏面説明図、（ｅ）は平面説明図である。
【図６】図４及び図５のクロスボルト固定金具の装着状態を示すもので、（ａ）は筋体を把持した状態を示す側面説明図、（ｂ）はアンカーボルトを把持した状態を示す平面説明図である。
【図７】筋体とアンカーボルトとを使用して形成される基礎の斜視説明図である。
【符号の説明】
１…金属板、  ２…金属板、  １０…基部、
１１…第１の把持部、  １２…連結片、  １３…係止片、  １４…折曲片、
１５…係止部、
２１…第２の把持部、  ２２…連結片、  ２３…係止片、  ２４…折曲片、
３１…第２の把持部、  ３２…第１連結片、  ３３…第２連結片、
３４…係止片、  ３５…折曲片、  ３６…係止部、  ３８…切欠線、
３９…支持片、
５１…筋体、  ５２…アンカーボルト
【図１】
0003713519.tif 000002
【図２】
0003713519.tif 000003
【図３】
0003713519.tif 000004
【図４】
0003713519.tif 000005
【図５】
0003713519.tif 000006
【図６】
0003713519.tif 000007
【図７】
0003713519.tif 000008